Podtech/llm-jp-corpus-v4-ja_patent huggingface dataset:
(57)【要約】【課題】加工後の歯面形状に悪影響を及ぼすことなく加工作業の効率を向上することができるギアシェービング加工方法を提供する。【解決手段】歯車部品１が取り付けられるワーク軸２と、シェービングカッタ３が固定されたカッタ軸４とを同期駆動するとともに、それらのワーク軸２とカッタ軸４との交差角θを３０°〜４０°の範囲に設定する。【選択図】図２
2017087389.tif 000002
【特許請求の範囲】
【請求項１】
歯車部品の歯面をシェービングカッタを用いて平滑に仕上げるギアシェービング加工方法であって、
前記歯車部品が取り付けられるワーク軸と、前記シェービングカッタが固定されたカッタ軸とを同期駆動するとともに、前記ワーク軸と前記カッタ軸との交差角を３０°〜４０°の範囲に設定したことを特徴とするギアシェービング加工方法。
【請求項２】
前記歯車部品が、自動車のエンジンのタイミングギア、又は前記自動車のトランスミッションのミッションギアである請求項１に記載のギアシェービング加工方法。
【発明の詳細な説明】
【技術分野】
【０００１】
本発明はギアシェービング加工方法に関し、更に詳しくは、加工後の歯面形状に悪影響を及ぼすことなく加工作業の効率を向上したギアシェービング加工方法に関する。
【背景技術】
【０００２】
自動車のトランスミッションやエンジンなどに用いられる大型の歯車部品については、低振動化及び低騒音化を図るために、加工精度を向上することが求められている。そのため、歯車部品の製造ラインにおいては、ホブ盤で歯切り加工した後に、シェービングカッタを用いて歯面を平滑に仕上げるギアシェービング加工が行われている（例えば、特許文献１を参照）。
【０００３】
このギアシェービング加工には、プランジ、コンベンショナル、ダイヤゴナル及びアンダーパスの４つの加工方法があり、歯車部品の種類によって使い分けられる。しかし、大型の歯車部品については、コンベンショナル加工方法以外の選択の余地がない場合が多いため、ギアシェービング加工の時間が長くなって、製造ラインのネックとなってしまうという問題があった。
【０００４】
この問題を解決するには、歯車部品の回転軸であるワーク軸と、シェービングカッタの回転軸であるカッタ軸との交差角を、通常の約１５°から大きくして、加工時の横滑り速度を増加させることが考えられる。
【０００５】
しかしながら、ワーク軸とカッタ軸との交差角を大きくすると、カッタ軸駆動でのワーク連れまわりの案内性が悪化して、加工後の歯面形状に悪影響を及ぼすおそれがある。
【先行技術文献】
【特許文献】
【０００６】
【特許文献１】特開２０１０−１８４３２３号公報
【発明の概要】
【発明が解決しようとする課題】
【０００７】
本発明の目的は、加工後の歯面形状に悪影響を及ぼすことなく加工作業の効率を向上することができるギアシェービング加工方法を提供することにある。
【課題を解決するための手段】
【０００８】
上記の目的を達成する本発明のギアシェービング加工方法は、歯車部品の歯面をシェービングカッタを用いて平滑に仕上げるギアシェービング加工方法であって、前記歯車部品が取り付けられるワーク軸と、前記シェービングカッタが固定されたカッタ軸とを同期駆動するとともに、前記ワーク軸と前記カッタ軸との交差角を３０°〜４０°の範囲に設定したことを特徴とするものである。
【発明の効果】
【０００９】
本発明のギアシェービング加工方法によれば、歯車部品のワーク軸とシェービングカッタのカッタ軸とを同期駆動するとともに、それらのワーク軸とカッタ軸との交差角を３０°〜４０°の範囲に設定したので、加工後の歯面形状に悪影響を及ぼすことなく加工作業の効率を向上することができる。
【図面の簡単な説明】
【００１０】
【図１】本発明の実施形態からなるギアシェービング加工方法を実施する歯車加工装置の模式図である。
【図２】図１の上面図である。
【発明を実施するための形態】
【００１１】
以下に、本発明の実施の形態について、図面を参照して説明する。図１及び図２は、本発明の実施形態からなるギアシェービング加工方法を実施する歯車加工装置を模式的に示したものである。
【００１２】
この歯車加工装置は、歯切り加工された歯車部品１が装着されるワーク軸２と、シェービングカッタ３が固定されたカッタ軸４とを備えている。加工対象である歯車部品１の種類は特に限定するものではないが、自動車のエンジンのタイミングギアや、トランスミッションのミッションギアなどが例示される。シェービングカッタ３は、歯面に多数の細い溝をもつ歯車から構成されている。
【００１３】
シェービング加工においては、ワーク軸２及びカッタ軸４の片方又は両方を電動モータ（図示せず）により回転駆動させるとともに、それらの軸２、４の少なくとも一方を他方に対して相対的に移動させることで、シェービングカッタ３と噛み合う歯車部品１の歯面５の凸凹が研削されて平滑に仕上げられる。なお、加工方法は、プランジ、コンベンショナル、ダイヤゴナル及びアンダーパスのいずれも実施可能である。
【００１４】
本発明の実施形態からなるギアシェービング加工方法では、上記のような歯車加工装置において、ワーク軸２及びカッタ軸４を同期して回転駆動させるとともに、ワーク軸２とカッタ軸４との交差角θを３０°〜４０°の範囲に設定する。
【００１５】
このようなギアシェービング加工方法を行うことにより、ワーク軸２及びカッタ軸４が同期駆動されるので、歯車部品１の連れまわりがなくなるため、加工後の歯面５の形状に悪影響を及ぼすことはない。また、ワーク軸２とカッタ軸４との交差角θが、３０°〜４０°という従来よりも大きな範囲に設定されるので、シェービングカッタ３と噛み合う歯車部品１の歯面５の横滑り速度が増加するため、加工作業の効率を向上することができる。
【符号の説明】
【００１６】
１  歯車部品
２  ワーク軸
３  シェービングカッタ
４  カッタ軸
５  歯面
θ  交差角
【図１】
2017087389.tif 000003
【図２】
2017087389.tif 000004
(57)【要約】【課題】  小さな物を摘みやすく、持ちやすくするためのピンセットであり、先端挟む部の挟み面を大きく設け、挟む力をやわらかく設けたことを特徴とする幅広ピンセットを提供する。【解決手段】  ピンセットの挟む部（１）を縦、横に広げ、挟む面（１）の面積を大きく設け、大きくなった挟む部の面（１）はすべり止め加工で、ぴったりくっつくよう設け、把持部（３）より挟む部（１）へ向けて内曲り（２）を設け、把持部（３）はすべり止め加工とし、挟持部（４）の両端をカットとして設けたことを特徴とする幅広ピンセット。【選択図】図１
2017087409.tif 000002
【特許請求の範囲】
【請求項１】
ピンセットの挟む部（１）を縦、横に広げ、挟む面（１）の面積を大きく設け、大きくなった挟む部の面（１）はすべり止め加工で、ぴったりくっつくよう設け、把持部（３）より挟む部（１）へ向けて内曲り（２）として設けた幅広ピンセット。
【請求項２】
ピンセットの把持部（３）はすべり止め加工とし、挟持部（４）の両端をカットとして設けた幅広ピンセット。
【発明の詳細な説明】
【技術分野】
【０００１】  本発明は、小さな物を摘みやすく、持ちやすくするためのピンセットであり、先端挟む部の挟み面を大きく設け、挟む力をやわらかく設けた幅広ピンセットに関するものである。
【背景技術】
【０００２】  従来、ピンセットは、先端部が細くなっており、一点で摘み、挟む弾性が強い構造であった。
【先行技術文献】
【特許文献】
【０００３】
【特許文献１】  一般通用のピンセット
【発明の概要】
【発明が解決しようとする課題】
【０００４】  そのため、次のような問題点があった。
小さな物を摘むのに、先端部が細く、一点で摘むので摘みにくかった。
長時間使用すると、挟む弾性が強すぎるため、手指が疲れた。
本発明は、これらの問題点を解決するためになされたものである。
【課題を解決するための手段】
【０００５】  ピンセットの挟む部（１）を縦、横に広げ、挟む面（１）の面積を大きく設け、大きくなった挟む部の面（１）はすべり止め加工で、ぴったりくっつくよう設け、把持部（３）より挟む部（１）へ向けて内曲り（２）として設ける。
ピンセットの把持部（３）はすべり止め加工とし、挟持部（４）の両端をカットとして設ける。
以上を特徴とする幅広ピンセットである。
【発明の効果】
【０００６】  ピンセットで小さな物を摘むのに摘みにくかったが、挟む部（１）の面を大きく設け、挟む部の面（１）はすべり止め加工で、ぴったりくっつくよう設け、大きく設けた面（１）で摘むので摘みやすくなった。
ピンセットの把持部（３）はすべり止め加工とし、挟持部（４）の両端をカットしたため、持ちやすくなり、挟む弾性がやわらく、長時間使用しても手指が疲れにくくなり挟みやすくなった。
【図面の簡単な説明】
【０００７】
【図１】本発明の挟んだ状態の上面図である。
【図２】本発明の斜視図である。
【発明を実地するための形態】
【０００８】  以下、本発明の実地の形態について説明する。
（イ）摘みやすくするために、挟む部（１）を縦、横に広げ、挟む面（１）の面積を大        きく設ける。
（ロ）すべり抜け防止に、大きくなった挟む部（１）の面は滑り止め加工を設ける。
（ハ）挟む部（１）がぴったりくっつくように、把持部（３）より挟む部（１）へ向け        て内曲り（２）の角度を設ける。
（ニ）把持部（３）はすべり止め加工を設ける。
（ホ）挟む弾性をやわらかくするために、挟持部（４）の両端をカットとして設ける。
本発明は以上のような構成である。
これを使用するときは、把持部（３）を持って挟む部（１）で摘めばよい。
【符号の説明】
【０００９】  １      挟む部
２      内曲り
３      把持部
４      挟持部
【図１】
2017087409.tif 000003
【図２】
2017087409.tif 000004
(57)【要約】      （修正有）【課題】趣味、娯楽の一環として絵画をもっと楽しめる他、学生の授業の教材としても広く活用頂ける様にフデ付きミニ・ロ−ラ−を提供する。【解決手段】両先端に取り外し可能なロ−ラ−とフデを取り付けた新しいデザイン、プラスチック素材で持ち手部分に鉛筆も入れられる。ロ−ラ−を使いやすいサイズで形にすることで、これまでになかった絵画の楽しみ方、喜びを知ってもらう。【選択図】図１
2017087200.tif 000002
【特許請求の範囲】
【請求項１】
絵画ポスタ−、他、ジオラマ、模型の色塗りの際、これまでになかった。筆付きミニ・ロ−ラ−の考案。
【請求項２】
ミニ・ロ−ラ−用ネットの考案。
【発明の詳細な説明】
【技術分野】
【０００１】本発明は，絵画作成その他、模型，ジオラマ、プラモデルなどの制作においても、これまでにない商品であり、時間の短縮、仕上がりをより奇麗に制作出来るものと，考案したものである。さらに角度を変えて隅まで塗りやすいフデとの一体化とし、より奇麗に仕上がるように考えました。
【背景技術】
【０００２】従来は、フデを使いペイントする技法しかなかった、本数にしても，多い程。
【発明の開示】
【発明が解決しようとする課題】
【０００３】学生においては授業時間内に絵画の制作を課題とされて、あわてて雑になり完成度が低いという面もあるのでは、、、
【課題を解決するための手段】
【０００４】絵画の作成にも、ロ−ラ−を取り入れる。【０００５】ミニ・ロ−ラ−を使えば、絵画の作成もラクになり時間の短縮ばかりか取扱いも簡単で、仕上がりも奇麗にさらにジャンルも様々、子供から大人まで活用できる。
【実施例１】
【０００６】両先端に取り外し可能なロ−ラ−とフデを取り付けた新しいデザイン、プラスチック素材で持ち手部分に鉛筆も入れられる。
【図面の簡単な説明】
【０００７】
【図１】本体の正面図である。
【図２】本体で使用する、ネットの横、正面図である。
【符号の説明】
【０００８】１フデ一体型ミニ・ロ−ラ−本体。
２ネット本体。
【図１】
2017087200.tif 000003
【図２】
2017087200.tif 000004
(57)【要約】【課題】本発明の目的は、残留農薬等の検査結果を残留農薬等のポジティブリスト制での基準値を用いて合否判定する場合に必要な、代謝物等の合算、適切な値の選択、名前の変更を操作者が操作をしなくても、ソフトウェアとデータベースを用いて正しい検査結果を提示することである。【解決手段】特徴的なコード体制の農薬基準値データベース、名前変換データベース、処理ソフトウェアを用いることで、本課題を解決する。【特許請求の範囲】
【請求項１】
農薬本体およびその代謝物について、検査結果を合計するかによって適切なコード体系を用いたデータベース
【請求項２】
ＧＣ／ＭＳ、ＬＣ／ＭＳの両方の検査機器で同一農薬について検査結果を得た場合に、各農薬の検出限界値を用いて、適切な検査結果を選択する手法
【請求項３】
多数の農薬等の基準を個別に更新しなくても、作物分類ごとに更新できる手法
【請求項４】
ＧＣ／ＭＳ、ＬＣ／ＭＳの検査機器から出力される農薬名とポジティブリスト制での農薬名が異なっても、適切に紐付けおよび名前変更できる手法
【発明の詳細な説明】
【技術分野】
【０００１】  この発明は、食品等に残留している農薬等の検査において、検査情報データの計算方法および、基準値との適合判定に関する。
【背景技術】
【０００２】  農薬等が一定量を超えて残留している食品について、販売等を原則禁止とするポジティブリスト制では、８００種類以上の農薬等、１０００種類以上の作物分類について、それぞれ基準値が設定されている。【０００３】  農薬等は使用時に植物体内に入り代謝分解したりすることから、基準値判定の合否で、農薬（本体）およびその代謝物の合計値を基準値と比較して合否判定をおこなう場合（例えば：ジンカバとその代謝物の３，６‐ジクロロ‐２‐ヒドロキシ安息香酸）。逆に、シフルメトフェンの様にその代謝物（α，α，α‐トリフルオロ‐ｏ‐トルイル酸）の急性毒性が高くないことから、農薬（本体）の値を基準値と比較して合否判定をおこなう場合があり、農薬に関する知識が要求される。【０００４】  これらの基準値は、食品衛生法に基づき、適宜更新されることから、常に最新の基準値との比較が必要とされる。【０００５】  農薬等の試験には、ガスクロマトグラフ質量分析計（ＧＣ／ＭＳ）や液体クロマトグラフ質量分析計（ＬＣ／ＭＳ）が使用される。農薬等の種類によって、ＧＣ／ＭＳあるいはＬＣ／ＭＳの何れかで検査するもの、あるいは両方で検査可能な農薬がある。ＧＣ／ＭＳ、ＬＣ／ＭＳの両方で検査をおこなった場合は、検査結果が２つ得られるがどちらか適切な検査結果を選択して、基準値と比較して合否判定をおこなう必要がある。【０００６】  ＧＣ／ＭＳ、ＬＣ／ＭＳに使用されている制御・解析用ソフトウェアでは、一部には言語が英語しか入力できない物、長い文字数が入らないもの、特殊記号が入力できない物などがあり、ポジティブリスト制で定められた農薬名と一致しない略号を使用せざる得ず、ＧＣ／ＭＳ、ＬＣ／ＭＳの検査機器から出力された農薬名とポジティブリスト制で定められた農薬名の一致を個別に判断する必要がある。
【発明の概要】
【発明が解決しようとする課題】
【０００７】  農薬本体とその代謝物について、基準値と比較する場合に、農薬本体とその代謝物の検査結果の合計を用いるか、農薬本体の検査結果を用いるかをソフトウェアであらかじめ定義しておき、正しい検査結果を提供すること。【０００８】  ＧＣ／ＭＳとＬＣ／ＭＳの何れの検査結果を用いるかを、ソフトウェアを用いて自動的に判定し、正しい検査結果を提供すること。【０００９】  更新された基準値を取込、常に最新の基準値を使用して合否判定すること。【００１０】  ＧＣ／ＭＳ、ＬＣ／ＭＳから出力される農薬名とポジティブリスト制で定められた農薬名をソフトウェアを用いて一致させること。
【課題を解決するための手段】
【００１１】  以上の課題を解決するために、第一発明は、農薬基準値を保持するデータベースでの農薬および代謝物に付与するコード体系を特徴とし、農薬本体およびその代謝物の検査結果の合計値を持って合否判定する場合には、代謝物に農薬本体と関連するコードの枝番などを付与しておき、ソフトウェアで枝番などがある場合には検査結果を合計し、枝番が無い場合には、農薬本体のみの検査結果を自動的に提供することを特徴とする。
第二発明は、ＧＣ／ＭＳとＬＣ／ＭＳの両方で検査結果が得られた場合に、両方の結果が不検出の場合には、あらかじめデータベースに各装置、各農薬に検出下限を設定しておき、検出下限の低い方をソフトウェアで採用する、またＧＣ／ＭＳあるいはＬＣ／ＭＳの何れかで検出された場合には、検出値のある方を自動的に採用することを特徴とする。
第三の発明は、８００種類以上の農薬等、１０００種類以上の作物分類の農薬基準値を個別に更新するのではなく、作物毎に基準値を全て削除した上で、新しい基準値を再度データベースに書き込むことを特徴とする。
第四発明は、ＧＣ／ＭＳ、ＬＣ／ＭＳで用いている農薬名とポジティブリスト制の農薬名の変換テーブルを作成しておき、ソフトウェアを用いて自動的に名前を変換することを特徴とする。
【発明の効果】
【００１２】  農薬単体か農薬とその代謝物の合計での検査結果を提示するかをソフトウェアが自動的に判断することで、８００種類以上の農薬について個別に操作者が知らなくても、正しい検査結果を提示できる。
第二発明により、操作者が選択すること無く、ＧＣ／ＭＳ、ＬＣ／ＭＳの適切な検査結果が自動的に選択できる。
第三発明により、８００種類以上の農薬等、１０００種類の作物分類での基準値を個別に更新する必要がなくなる。
第四発明により、８００種類以上の農薬について、ＧＣ／ＭＳ、ＬＣ／ＭＳでの名称とポジティブリスト制での名称を操作者が付き合わせる必要がなくなる。
【発明を実施するための形態】
【００１３】  この発明の実施形態としては、次から構成される。
１．基準値データベース（農薬名、基準値、検出下限）を有する。
２．名前変換データベース（ＧＣ／ＭＳ，ＬＣ／ＭＳでの名称、ポジティブリストでの名称）を有する。
３．１および２のデータベースを使用して、ＧＣ／ＭＳ、ＬＣ／ＭＳから適切な検査結果を選択し、ポジティブリストでの農薬名に変更し、必要であれば代謝物を合算し、基準値での合否判定を行うソフトウェア。
【実施形態の効果】
【００１４】  この実施形態によれば、操作者は多数の農薬、多数の作物分類を扱うこと無く、データベースに登録された情報を利用して３．のソフトウェアが自動的に正しい検査結果とそれにより基準値の合否判定が正確におこなわれる。
(57)【要約】      （修正有）【課題】停滞した分岐管内の流体を、本流の流れのみで解消する構成を提供する。【解決手段】分岐管内の中に、差し込んだ内管６の他の一方を、本管７の下流側に、向け差し込み、コイル状に巻いた内管固定支持具１のばねの、片側を、コイルばねの巻きつく力を利用、他の端はコイルばねの広がる力により、本管の内壁に固定する、二重管固定器具。【選択図】図１
2017187158.tif 000002
【特許請求の範囲】
【請求項１】
分岐管内の中に、差し込んだ細管の他の一方を、本流の下流側に、向け差し込み、分岐管内の停滞を、解消する装置。
【請求項２】
コイル状に巻いたばねの、片側を、コイルばねの巻きつく力を利用、他の端はコイルばねの広がる力により、外管の内壁に固定する、二重管固定器具。
【発明の詳細な説明】
【技術分野】
【０００１】本考案は流体分岐管内の停滞を無くす方法と、管内に通した細管を、定位置に、安定保持する為の、部品の、考案である。
【背景技術】
【０００２】従来流体配管の、本管より分岐枝した、枝管は、枝管先端が、開放されない限り、通常、停滞し、温度低下、凍結等、支障をきたした。
【発明の概要】
【発明が解決しようとする課題】
【０００３】少ない配管資材、少ない施工費用、少ない運転費用で、分岐管内の、流体の、停滞を無くす。
【課題を解決するための手段】
【０００４】分岐管内に、細い管を末端まで通し、他の一方を本管の分岐継ぎ手の、出口側の本管内に導き、本考案品、内管支持具にて固定する。
【発明の効果】
【０００５】本管三方継ぎ手の、本管下流側に、内管支持具にて、固定された、内管出口は周囲の、下流に向かう本管の流れにより、負圧が発生し、枝管内の、先端まで差し込まれた内管により、停滞した流体を、抜き取り本流に戻す【０００６】一例として、本管に温水の流れがあれば、枝管の停滞も無くなり、本流の温度を確保する。【０００７】これにより、枝管末端の、蛇口を開ければ、即温水がでる速湯方式で、無駄な捨て水がない。【０００８】本管の流れは本管末端に、比較的頻繁に使われる、蛇口を付け、発生させる。【０００９】又本管に、戻り管と、循環ポンプ設け、流れを作り、作動することもできる。
この場合のポンプの運転は間欠運転でよい。
【図面の簡単な説明】
【００１０】
【図１】本発明の、設置透視斜視図である。
【図２】本発明の、内管固定支持具、の全体斜視図である。
【発明の実施するための形態】
【００１１】  効率良く内管に負圧を発生させるには、内管出口の負圧発生面（８）の固定が必要である。
【００１２】内管出口の負圧発生面の固定には、本出願、内管固定支持具（１）、を、使用する。
【００１３】内管固定支持具は、対腐食性の金属、又は硬化樹脂で作り、内管を本管の指定場所にとどめる。
【００１４】内管の固定は、内管（６）の外径より、やや細く巻いたコイル状の、内管固定部（２）を作り、その内管固定部（２）に巻き戻す方向に力を加え、内径を広げ、内管（６）を挿したのちコイルに加えた力を、はずし内管（６）を固定する。
【００１５】内管固定部（２）のＵ字型末端（３）はＵ字型に加工し先端を針状にとがらせ、内管（４）に刺し、完全に止める。
【００１６】内管固定金具（１）の、本管固定部（４）は本管の内径よりやや大きく、コイル状に巻き、その末端（５）は、直角にまげ、切る
【００１７】設置方法は、あらかじめ、内管（４）を、内管固定支持具（１）に固定し本管固定部（４）の末端（５）を工具でつかみ、巻きとり方向に力を加え、外径を小くし、本管（７）の中の設定場所にて開放固定する。
【符号の説明】
【００１８】（１）内管固定支持具
（２）内管固定部
（３）Ｕ字型末端
（４）本管固定部
（５）末端
（６）内管
（７）本管
【図１】
2017187158.tif 000003
【図２】
2017187158.tif 000004
(57)【要約】【課題】  本発明はシャワーヘッドの水が出る面に、ブラシを設けたシャワーヘッドを提供する。【解決手段】  シャワーヘッド（１）の水が出る面にブラシ（２）を設けたことを特徴とする。【選択図】図２
2017192684.tif 000002
【特許請求の範囲】
【請求項１】
シャワーヘッド（１）の水が出る面にブラシ（２）を設けたことを特徴とするシャワーｗｉｔｈブラッシング。
【発明の詳細な説明】
【技術分野】
【０００１】  本発明は、犬猫のシャンプー又はリンスをした後、シャワーで水を掛けながら同時にブラッシングができるものである。
【背景技術】
【０００２】  従来は、シャンプー又はリンスを洗い流す時は、片方の手で、シャワーヘッドを持ち水を掛け、もう一方の手で、ブラッシングをしながらシャンプー又はリンスを洗い流さなければならない。
【先行技術文献】
【０００３】
【発明の概要】
【発明が解決しようとする課題】
【０００４】  従来は次のような欠点があった。
（イ）シャンプー又はリンスを流すには、片方の手で水を掛け、もう一方の手でブラッシ    ングしながら流さなくてはいけない。
（ロ）シャンプー＆リンスを嫌がる犬猫は、片手で体を抑え、もう一方の手で水を掛ける    作業と、ブラッシングする作業を交互にしなければならない。短時間で終わらせるに    は、２人で作業しなければならかった。
【課題を解決するための手段】
【０００５】  シャワーヘッド（１）の水が出る面にブラシ（２）を設ける。
本発明は、以上の構成によるシャワーヘッドである。
【発明の効果】
【０００６】  シャワーヘッドの水が出る面にブラシを設けた構成です。だから、シャンプー又はリンスを洗い流し、ブラシをかける作業を短時間で終わることができる。又、シャンプー＆リンスを嫌がる犬猫でも、一人で作業できる。
【図面の簡単な説明】
【０００７】
【図１】  本発明の正面図である。
【図２】  本発明の底面図である。
【発明を実施するための形態】
【０００８】  以下、本発明の実施の形態について説明する。
シャワーヘッドの水が出る面に、ブラッシングする際必要なブラシを設ける。
本発明は、以上のような構成です。
本発明を使用するときは、シャワーヘッドを片手で持ち、水を流しながら、ブラッシングする。
【符号の説明】
【０００９】  １  シャワーヘッド
２  ブラシ
３  水穴
【図１】
2017192684.tif 000003
【図２】
2017192684.tif 000004
(57)【要約】【課題】視覚障害者の歩行安全性向上の技術は点字ブロックの経年磨耗、破損、泥等の付着により安全歩行の確保が困難な場合が考えられた。【解決手段】点字ブロックに埋め込まれたマグネット８に振動センサー２、３が反応することで、現在位置の把握が容易になる。【選択図】図１
2017192686.tif 000002
【特許請求の範囲】
【請求項１】
単純な構造の振動センサーを設けたことを特徴とする振動センサー内蔵靴。
【請求項２】
点字ブロックにマグネットを埋め込み、振動センサーに反応することを特徴とするシステムである。
【発明の詳細な説明】
【技術分野】
【０００１】  この発明は、視覚障害者の歩行安全性向上の技術に関する。
【背景技術】
【０００２】  従来の視覚障害者の歩行安全性向上の技術は、図に示すように点字ブロックによって位置を把握するものである。
【先行技術文献】
【特許文献】
【００００】
【非特許文献】
【００００】
【発明の概要】
【発明が解決しようとする課題】
【０００５】  しかしながら、以上の技術によれば、点字ブロックの経年磨耗、破損、泥等の付着により安全歩行の確保が困難な場合が考えられた。
そこで、この発明は、より確実に視覚障害者の安全な歩行を提供することを課題とする。
【課題を解決するための手段】
【０００６】  以上の課題を解決するために、第一発明は、単純な構造の振動センサーを設けたことを特徴とする振動センサー内蔵靴を提供することである。
また、第二発明は、点字ブロックにマグネットを埋め込み、振動センサーに反応することを特徴とするシステムである。
【発明の効果】
【０００７】  第一発明、並びに第二発明によれば、点字ブロックに埋め込まれたマグネットに振動センサーが反応することで、現在位置の把握が容易になる。
【図面の簡単な説明】
【０００８】
【図１】この発明の一実施形態を示す斜視図である。
【図２】この発明の一実施形態を示す靴底面図である。
【図３】この発明の一実施形態を示す振動モーター詳細図である。
【図４】従来技術を示す斜視図である。
【発明を実施するための形態】
【０００９】  この発明の一実施形態を、図１に示す。
靴本体１の靴底左右には振動センサー２、３がそれぞれ１つずつ設けてある。この振動センサー２、３は振動モーター４と磁気スイッチ５から構成されている。点字ブロック本体６には突起７が複数設けられており、この突起にはマグネット８が埋め込まれている。
【００１０】「実施形態の効果」
この実施形態によれば、磁気スイッチ５がマグネット８に反応し、振動モーターが作動する。したがって、靴底の左側又は右側若しくはその両方が振動する。振動センサー２、３は振動モーター４と磁気スイッチ５のみで構成されているため、非常に小さく、故障しづらい、更に電子機器を用いていないため電波障害とも無縁である。
【符号の説明】
【００１０】１  靴本体            ２  振動センサー（左）      ３  振動センサー（右）
４  振動モーター      ５  磁気スイッチ            ６  点字ブロック本体
７  突起              ８  マグネット
【図１】
2017192686.tif 000003
【図２】
2017192686.tif 000004
【図３】
2017192686.tif 000005
【図４】
2017192686.tif 000006
(57)【要約】【課題】マスクは手軽に使える反面、単一で無表情、無個性なものになりがちである。顔面を覆い隠すことによる非個性的、コミュニケーションへの拒否感を与えてしまう。そこで、マスクに自由なアクセサリーをつけることで、個性の演出ができる。  また、一度使ったマスクを外しても、同僚等のマスクと区別ができたり、裏表の区別もしやすい。マスクをする人にもマスク本体にも個別化、個性化を提供する。【解決手段】様々なアクセサリーやフィギアなどの装飾品を取り付け具でマスクを挟んで脱着可能に仕立てることにより、無機質だった表情に彩を与える。又、マスクは消耗品だが、アクセサリーは何度も使いまわせる。【選択図】図１
2017192679.tif 000002
【特許請求の範囲】
【請求項１】
マスクに取り付け具でアクセサリー等の装飾品を脱着可能にして、マスクを土台にコミュニケーションをアップするマスク用アクセサリー。
【発明の詳細な説明】
【技術分野】
【０００１】  本発明はマスクに装着するアクセサリーに関するものである。
【背景技術】
【０００２】  簡易マスクは使い捨て可能で安価な為、風邪、花粉症等の治療、予防に幅広く普及している。多くの場合、無地である。
【発明の概要】
【発明が解決しようとする課題】
【０００３】  使い捨てマスクは手軽に使える反面、単一で無表情、無個性なものになりがちである。人間のコミュニケーションで重要な顔面に装着するため、存在感は大きい。
外国人等、使い捨てマスクが普及していない人々が違和感を覚えるように、顔面を覆い隠すことによる非個性的、コミュニケーションへの拒否感を与えてしまう。
本発明は以上の問題点を解決することに役立つものである。
【課題を解決するための手段】
【０００４】  様々なアクセサリーやフィギアなどの装飾品を取り付け具でマスクを挟んで脱着可能に仕立てることにより、無機質だった表情に彩を与える。又、マスクは使い捨てだが、アクセサリーは何度も使いまわせる。
【発明の効果】
【０００５】  マスクに自由なアクセサリーをつけることで、個性の演出ができる。
また、一度使ったマスクを外しても、同僚等のマスクと区別ができたり、裏表の区別もしやすい。
【図面の簡単な説明】
【０００６】
【図１】本発明の正面図
【図２】本発明の側面図
【図３】本発明の一実施例の正面図
【図４】本発明の一実施例の側面図
【発明を実施するための形態】
【０００７】  以下、本発明の実施の形態を説明する。
（イ）図２で示すように、スナップボタンのような容易に脱着可能なボタン（凹）（１）に受部（４）等でアクセサリー（３）を固定する。
（ロ）図４で示すように、ボタン（凹）（１）に受部（４）でアクセサリー（３）を、ボタン（凸）（２）にアクセサリー（６）を固定する。
本実施例ではアクセサリー（３）（６）の取り付け具はボタンとしたが、これに限定されるものではない。
本発明は以上のような構造である。
本発明を使用するときは、アクセサリー（３）の固定されたボタン（凹）（１）と、ボタン（凸）（２）でマスク（５）を挟んで装着する。ボタン等の取り付け具を使用することで何回も使用可能とする。
図３、図４は表のアクセサリー（３）とともに、はボタン（凸）（２）にもアクセサリー（６）を固定して、マスクの中からアクセサリー（６）が顔を覗かせる効果を出すもの。
【符号の説明】
【０００８】１  スナップボタン凹、  ２  スナップボタン凸，  ３  アクセサリー，  ４  受部，  ５  マスク，  ６  アクセサリー
【図１】
2017192679.tif 000003
【図２】
2017192679.tif 000004
【図３】
2017192679.tif 000005
【図４】
2017192679.tif 000006